(57)【要約】      （修正有）【課題】ネジの落下による異物混入を防止することができる消毒保管機を提供する。【解決手段】消毒保管機は、消毒すべき物品が収納される処理室内の天井に装着される少なくとも第１の天井板部材、第２の天井板部材及び第３の天井板部材１０ｃを備えている。第１の天井板部材を固定する第１の取り付けネジは、装着された第２の天井板部材に覆われて落下防止がなされるように構成されている。第２の天井板部材を固定する第２の取り付けネジは、装着された第３の天井板部材１０ｃに覆われて落下防止がなされるように構成されている。第３の天井板部材１０ｃを固定する第３の取り付けネジ２０ｃは、この第３の天井板部材１０ｃが具備する、第３の取り付けネジ２０ｃを挿通可能な第１の貫通穴６０ａと、第３の取り付けネジ２０ｃの頭部より小さい径を有し取り付けネジ用締め付け工具を通すための第２の貫通穴６１ａとを備えた第１のネジ受け構造によって落下防止がなされる。【選択図】図５
0003219088.tif 000002
【実用新案登録請求の範囲】
【請求項１】
消毒すべき物品が収納される処理室内の天井に装着される少なくとも第１の天井板部材、第２の天井板部材及び第３の天井板部材を備えており、
前記第１の天井板部材を固定する第１の取り付けネジは、装着された前記第２の天井板部材に覆われて落下防止がなされるように構成されており、
前記第２の天井板部材を固定する第２の取り付けネジは、装着された前記第３の天井板部材に覆われて落下防止がなされるように構成されており、
前記第３の天井板部材を固定する第３の取り付けネジは、当該第３の天井板部材が具備する、前記第３の取り付けネジを挿通可能な第１の貫通穴と、前記第３の取り付けネジの頭部より小さい径を有し取り付けネジ用締め付け工具を通すための第２の貫通穴とを備えた第１のネジ受け構造によって落下防止がなされるように構成されていることを特徴とする消毒保管機。
【請求項２】
前記第１のネジ受け構造は、前記第１の貫通穴が設けられている第１の部材と、前記第２の貫通穴が設けられている第２の部材とから構成され、
前記第１の部材と前記第２の部材とは、前記第３の取り付けネジの頭部が前記第１の部材と前記第２の部材との間に位置し、ネジ部が前記第１の貫通穴に挿通した状態で、前記第１の貫通穴と前記第２の貫通穴とが同一の中心線上に位置するように一体に固着されていることを特徴とする請求項１に記載の消毒保管機。
【請求項３】
前記第１の部材は、長手方向に垂直の断面がクランク状となるように折り曲げられた互いに平行な２つの板状片を備えた板材であり、
前記第２の部材は、長手方向に垂直の断面が凹状となるように折り曲げられた板材であり、
前記第１の部材の前記２つの板状片の一方の板状片には前記第１の貫通穴が設けられ、他方の板状片は前記第２の部材の底面に固着されていることを特徴とする請求項２に記載の消毒保管機。
【請求項４】
前記取り付けネジの締め付け用のスピードナットと、前記スピードナットを押さえているスピードナット押えとをさらに備えていることを特徴とする請求項２又は３に記載の消毒保管機。
【請求項５】
前記第２の部材は、前記処理室内の前記天井板部材のパッキン押えを固定するネジを覆うように構成されていることを特徴とする請求項１から４のいずれか１項に記載の消毒保管機。
【請求項６】
前記第１の天井板部材は天井の中央部に配置され吸い込み口が設けられている中央天板であり、前記第２の天井板部材は前記中央天板の左右両側にそれぞれ配置される１対のサイド天板であり、前記１対のサイド天板は、装着された状態で、前記中央天板の左右両辺の前記第１の取り付けネジを覆うように構成されていることを特徴とする請求項１から５のいずれか１項に記載の消毒保管機。
【請求項７】
前記処理室内の天井に装着され、前記吸い込み口のガイドである第４の天井板部材をさらに備えており、前記第４の天井板部材を固定する第４の取り付けネジは、当該第４の天井板部材が具備する、前記第４の取り付けネジを挿通可能な第１の貫通穴と、前記第４の取り付けネジの頭部より小さい径を有し取り付けネジ用締め付け工具を通すための第２の貫通穴とを備えた第２のネジ受け構造によって落下防止がなされるように構成されていることを特徴とする請求項６に記載の消毒保管機。
【考案の詳細な説明】
【技術分野】
【０００１】
本考案は、加熱により食器、調理器具及び備品等の消毒を行う消毒保管機に関する。
【背景技術】
【０００２】
食器、調理器具及び備品等の器具の消毒は、一般に、消毒保管機の処理室内の温度を、加熱された空気や蒸気を循環させることによって、所定時間の間、所定温度に維持することで行われる。この場合、加熱の熱源として、電気ヒータやガス等があり、モータによって回転するファンにより、加熱された空気や蒸気が循環され、処理室内部の温度を上げることができる（特許文献１）。
【０００３】
このような消毒保管機において、処理室の内壁（側面、天井及び底面）は、複数のステンレス板部材をネジで筐体に取り付けて構成されている。
【先行技術文献】
【特許文献】
【０００４】
【特許文献１】特開平１０−５０６６号公報
【考案の概要】
【考案が解決しようとする課題】
【０００５】
しかしながら、特許文献１に記載されたような従来の消毒保管機において、処理室内の天井板等の部材（ステンレス板部材等）を固定する取り付けネジは、処理室内にむき出し状態となっており、処理室内の空気を循環させるためのファンモータ等が動作する際の振動等によりネジが緩んで外れて処理室内に落下する場合があり、ネジの落下による異物混入の発生する恐れがあった。
【０００６】
従って、本考案は従来技術の上述した問題点を解消するものであり、本考案の目的は、取り付けネジの落下による異物混入を防止することができる消毒保管機を提供することにある。
【課題を解決するための手段】
【０００７】
本考案によれば、消毒保管機は、消毒すべき物品が収納される処理室内の天井に装着される少なくとも第１の天井板部材、第２の天井板部材及び第３の天井板部材を備えている。第１の天井板部材を固定する第１の取り付けネジは、装着された第２の天井板部材に覆われて落下防止がなされるように構成されている。第２の天井板部材を固定する第２の取り付けネジは、装着された第３の天井板部材に覆われて落下防止がなされるように構成されている。第３の天井板部材を固定する第３の取り付けネジは、この第３の天井板部材が具備する、第３の取り付けネジを挿通可能な第１の貫通穴と、第３の取り付けネジの頭部より小さい径を有し取り付けネジ用締め付け工具を通すための第２の貫通穴とを備えた第１のネジ受け構造によって落下防止がなされるように構成されている。
【０００８】
第１の天井板部材を固定する第１の取り付けネジは第２の天井板部材に覆われ、第２の天井板部材を固定する第２の取り付けネジは第３の天井板部材に覆われて落下防止がなされる。一方、この第３の天井板部材を固定する第３の取り付けネジは、この第３の天井板部材が具備する、取り付けネジを挿通可能な第１の貫通穴と、この取り付けネジの頭部より小さい径を有し取り付けネジ用締め付け工具を通すための第２の貫通穴とを備えた第１のネジ受け構造によって落下防止がなされる。これにより、第１〜第３の取り付けネジが緩んで外れても処理室に落ちないため、ネジの落下による異物混入を防止することができる。
【０００９】
第１のネジ受け構造は、第１の貫通穴が設けられている第１の部材と、第２の貫通穴が設けられている第２の部材とから構成され、記第１の部材と第２の部材とは、第３の取り付けネジの頭部が第１の部材と第２の部材との間に位置し、ネジ部が第１の貫通穴に挿通した状態で、第１の貫通穴と第２の貫通穴とが同一の中心線上に位置するように一体に固着されていることが好ましい。
【００１０】
第１の部材は、長手方向に垂直の断面がクランク状となるように折り曲げられた互いに平行な２つの板状片を備えた板材であり、第２の部材は、長手方向に垂直の断面が凹状となるように折り曲げられた板材であり、第１の部材の２つの板状片の一方の板状片には第１の貫通穴が設けられ、他方の板状片は第２の部材の底面に固着されていることが好ましい。
【００１１】
取り付けネジの締め付け用のスピードナットと、スピードナットを押さえているスピードナット押えとをさらに備えていることが好ましい。
【００１２】
第２の部材は、処理室内の天井板部材のパッキン押えを固定するネジを覆うように構成されていることが好ましい。
【００１３】
第１の天井板部材は天井の中央部に配置され吸い込み口が設けられている中央天板であり、第２の天井板部材は中央天板の左右両側にそれぞれ配置される１対のサイド天板であり、１対のサイド天板は、装着された状態で、中央天板の左右両辺の第１の取り付けネジを覆うように構成されていることも好ましい。
【００１４】
処理室内の天井に装着され、吸い込み口のガイドである第４の天井板部材をさらに備えており、第４の天井板部材を固定する第４の取り付けネジは、この第４の天井板部材が具備する、第４の取り付けネジを挿通可能な第１の貫通穴と、この第４の取り付けネジの頭部より小さい径を有し取り付けネジ用締め付け工具を通すための第２の貫通穴とを備えた第２のネジ受け構造によって落下防止がなされるように構成されていることも好ましい。
【考案の効果】
【００１５】
本考案によれば、第１の天井板部材を固定する第１の取り付けネジの一部は第２の天井板部材に覆われ、第２の天井板部材を固定する第２の取り付けネジ及び第１の取り付けネジの残りは第３の天井板部材に覆われて落下防止がなされる。一方、この第３の天井板部材を固定する第３の取り付けネジは、この第３の天井板部材が具備する、取り付けネジを挿通可能な第１の貫通穴と、この取り付けネジの頭部より小さい径を有し取り付けネジ用締め付け工具を通すための第２の貫通穴とを備えた第１のネジ受け構造によって落下防止がなされる。これにより、取り付けネジが緩んで外れても処理室に落ちないため、ネジの落下による異物混入を防止することができる。
【図面の簡単な説明】
【００１６】
【図１】本考案の一実施形態における消毒保管機の全体の外観構成を概略的に示す斜視図である。
【図２】図１に示した消毒保管機の処理室内部の天井の構成を下方から見た状態で概略的に示す平面図である。
【図３】図１に示した消毒保管機の処理室内部の天井の構成を概略的に示すＡ−Ａ線断面図である。
【図４】図１に示した消毒保管機の処理室内部の天井の一部天板の構成を斜め上方から見た状態で概略的に示す分解斜視図である。
【図５】図１に示した消毒保管機の処理室内部の天井の一部天板の構成を概略的に示す分解斜視図である。
【図６】図５に示した一部天板の構成を概略的に示すＢ-Ｂ線断面図である。
【図７】図１に示した消毒保管機の処理室内部の天井の一部天板の構成を概略的に示す分解斜視図である。
【図８】図１に示した消毒保管機の処理室内部の天井の一部天板の構成を概略的に示す断面図である。
【図９】図１に示した消毒保管機のスピードナット押えの構成例を概略的に示す側面図である。
【考案を実施するための形態】
【００１７】
以下、本考案に係る消毒保管機の実施形態を、図を参照して説明する。
【００１８】
図１は本考案の一実施形態における消毒保管機全体の外観構成を示しており、図２は消毒保管機１００の処理室内部の天井の構成を下方から見た状態で示しており、図３は図２のＡ−Ａ線断面を示しており、図４は処理室内部の天井の構成を斜め上方から見た状態で示しており、図５は処理室内部の天井の構成を示しており、図６は図５のＢ-Ｂ線断面を示しており、図７は吸い込み口ガイドの構成を示しており、図８（ａ）は図５のＣ-Ｃ線断面を示しており、図８（ｂ）は図７のＤ-Ｄ線断面を示しており、図９はスピードナット及びスピードナット押えの構成を示している。
【００１９】
これらの図に示すように、本実施形態の消毒保管機１００は、消毒すべき物品が収納される処理室１０１と、処理室１０１を加熱するためのヒータ１０２と、加熱空気を処理室１０１内に送り込むためのファン１０３と、ファン１０３を回転駆動するモータ１０４とを備えている。処理室１０１は、中央天板（本考案の第１の天井板部材に対応）１０ａ、サイド天板（本考案の第２の天井板部材に対応）１０ｂ、前後天板（本考案の第３の天井板部材に対応）１０ｃ及び吸い込み口ガイド（本考案の第４の天井板部材に対応）１０ｄを備えた天井板１０と、中央天板１０ａを取り付けるための第１の取り付けネジ２０ａと、サイド天板１０ｂを取り付けるための第２の取り付けネジ２０ｂと、前後天板１０ｃを取り付けるための第３の取り付けネジ２０ｃと、吸い込み口ガイド１０ｄを取り付けるための第４の取り付けネジ２０ｃと、スピードナット３０と、スピードナット押え４０とを備えている。
【００２０】
処理室１０１は、天井板１０を含む内壁が複数のステンレス板から構成された加熱空間である。処理室１０１の外部前面の上方には処理室１０１の制御を行う操作制御ユニットが設けられている。処理室１０１の上方には、ヒータ１０２、ファン１０３及びモータ１０４がそれぞれ配置されている。
【００２１】
天井板１０は、中央部に配置され、吸い込み口Ｓが設けられている中央天板１０ａと、中央天板１０ａの左右両側に配置される１対のサイド天板１０ｂと、中央天板１０ａの前後両側に配置される１対の前後天板１０ｃと、吸い込み口ガイド１０ｄとから構成される。中央天板１０ａの左右両端部が折り曲げられ、立起部１１ａと、鍔部１２ａとが形成されている。立起部１１ａには、サイド天板１０ｂの鍔部１１ｂが挿嵌されるための複数のスリット１３ａが設けられている。鍔部１２ａには、第１の取り付けネジ２０ａを挿通するための貫通穴１４ａが設けられている。１対のサイド天板１０ｂは、片側の辺に中央天板１０ａのスリット１３ａに挿嵌するための複数の鍔部１１ｂが設けられている。反対側の辺に第２の取り付けネジ２０ｂを挿通するための複数の貫通穴１２ｂが設けられている。また、中央天板１０ａの前後両端部には、１対の前後天板１０ｃを取り付けるために第３の取り付けネジ２０ｃを挿通するための複数の貫通穴１５ａが設けられている。また、中央天板１０ａの吸い込み口Ｓの付近に吸い込みガイド１０ｄを取り付けるために第４の取り付けネジ２０ｄを挿通するための複数の貫通穴１６ａが設けられている。
【００２２】
天井板１０を装着する際に、まず、中央天板１０ａを取り付ける。即ち、鍔部１２ａの貫通穴１４ａを介して第１の取り付けネジ２０ａで天井に固定する。次いで、両側のサイド天板１０ｂを取り付ける。この場合、まず、サイド天板１０ｂの鍔部１１ｂを中央天板１０ａのスリット１３ａに挿嵌し、そして、反対側の辺の貫通穴１２ｂを介して第２の取り付けネジ２０ｂで天井に固定する。次いで、貫通穴１５ａを介して第３の取り付けネジ２０ｃで１対の前後天板１０ｃを取り付ける。最後に、貫通穴１６ａを介して第４の取り付けネジ２０ｄで吸い込みガイド１０ｄを取り付ける。これにより、中央天板１０ａを固定する第１の取り付けネジ２０ａは、サイド天板１０ｂにより覆われて、サイド天板１０ｂを固定する第２の取り付けネジ２０ｂは１対の前後天板１０ｃにより覆われている。
【００２３】
第１の取り付けネジ２０ａ、第２の取り付けネジ２０ｂ、第３の取り付けネジ２０ｃ及び第４の取り付けネジ２０ｃは、天井板１０を取り付けるためのものであり、例えば、Ｍ５のトラスネジを用いる。取り付けネジ２０ｃは１対の前後天板１０ｃに装着されており、取り付けネジ２０ｄは吸い込みガイド１０ｄに装着されている。
【００２４】
１対の前後天板１０ｃは、第２の取り付けネジ２０ｂ及び第３の取り付けネジ２０ｃの落下を防止するためのものである。この１対の前後天板１０ｃのそれぞれは、第３の取り付けネジ２０ｃを挿通可能な第１の貫通穴６０ａが設けられている第１の部材６０と、第３の取り付けネジ２０ｃの頭部より小さい径を有し、第３の取り付けネジ２０ｃ用締め付け工具を通すための第２の貫通穴６１ａが設けられている第２の部材６１とから構成されている。第１の部材６０と第２の部材６１とは、第３の取り付けネジ２０ｃの頭部が第１の部材６０と第２の部材６１との間に位置し、ネジ部が第１の貫通穴６０ａに挿通した状態で、第１の貫通穴６０ａと第２の貫通穴６１ａとが同一の中心線上に位置するように一体に固着されている。この実施形態において、第１の部材６０は、長手方向に垂直の断面がクランク状となるように折り曲げられた互いに平行な２つの板状片を備えた板材であり、第２の部材６１は、長手方向に垂直の断面が凹状となるように折り曲げられた板材であり、第１の部材６０の２つの板状片の一方の板状片には第１の貫通穴６０ａが設けられ、他方の板状片は第２の部材６１の底面に固着されている。また、第２の部材６１は、処理室１０内の天井板部材のパッキン押えを固定するネジを覆うように構成されている。これにより、第１の部材６０と第２の部材６１との間に設置された第３の取り付けネジ２０ｃは、緩めても落下しない構成となっている。また、天井にある他の第２の取り付けネジ２０ｂ及びパッキン押えを固定するためのネジは、この１対の前後天板１０ｃにより覆われているため、これらのネジが緩めて落下することも防止できる。なお、第２の部材６１は、側面に複数の鍔部６１ｂが設けられ、処理室１０１内の天井部には、これら複数の鍔部６１ｂが嵌入可能な複数の溝（図示せず）が設けられている。
【００２５】
吸い込みガイド１０ｄは、図７に示すように、第４の取り付けネジ２０ｄを挿通可能な第１の貫通穴７０ａが設けられている第１の部材７０と、第４の取り付けネジ２０ｄの頭部より小さい径を有し、第４の取り付けネジ２０ｄ用締め付け工具を通すための第２の貫通穴７１ａが設けられている第２の部材７１とから構成されている。第２の部材７１の長手方向に２つの第２の貫通穴７１ａが設けられ、この第２の貫通穴７１ａに対応する位置にそれぞれ第１の部材７０が設けられている。この吸い込みガイド１０ｄは、万が一処理室１０１内のトレイや食缶の蓋が吸い込み口に吸い付いた場合、吸い込み口が完全に塞がらないように、熱風の流れを確保するための部品である。
【００２６】
スピードナット３０は、第３の取り付けネジ２０ｃの締め付け用のものである。このスピードナット３０は、筐体の天井部に装着することができる。
【００２７】
スピードナット押え４０は、スピードナット３０を外れ難く、変形し難くするものである。図９はスピードナット押え４０の構成例を示している。図９に示すように、スピードナット押え４０の一端にスピードナット３０が押さえられ、他端に取り付け穴４１が設けられている。スピードナット押え４０は、予め本体Ｔに取り付けられている。このスピードナット押え４０を用いることで、第３の取り付けネジ２０ｃの締め付け及び取り外し作業が容易になる。
【００２８】
以上説明したように、本実施形態の消毒保管機１００は、第１の天井板部材１０ａを固定する第１の取り付けネジ２０ａは第２の天井板部材１０ｂに覆われ、第２の天井板部材１０ｂを固定する第２の取り付けネジ２０ｂは第３の天井板部材１０ｃに覆われて落下防止がなされる。一方、この第３の天井板部材１０ｃを固定する第３の取り付けネジ２０ｃは、この第３の天井板部材１０ｃが具備する、第３の取り付けネジ２０ｃを挿通可能な第１の貫通穴６０ａと、この第３の取り付けネジ２０ｃの頭部より小さい径を有し取り付けネジ用締め付け工具を通すための第２の貫通穴６１ａとを備えた第１のネジ受け構造によって落下防止がなされる。これにより、第１〜第３の取り付けネジ２０ａ、２０ｂ及び２０ｃが緩んで外れても処理室に落ちないため、ネジの落下による異物混入を防止することができる。
【００２９】
また、第４の天井板部材１０ｄを固定する第４の取り付けネジ２０ｄは、この第４の天井板部材１０ｄが具備する、第４の取り付けネジ２０ｄを挿通可能な第１の貫通穴７０ａと、この第４の取り付けネジ２０ｄの頭部より小さい径を有し取り付けネジ用締め付け工具を通すための第２の貫通穴７１ａとを備えた第２のネジ受け構造によって落下防止がなされる。これにより、第４の取り付けネジ２０ｄが緩んで外れても処理室に落ちないため、ネジの落下による異物混入を防止することができる。
【００３０】
なお、上述した実施形態においては、天井板１０の前後両端部に取り付けネジ２０ｃで第３の天井板部材１０ｃを取り付ける例にあげて説明したが、本考案はこれに限定されるものではない。天井板１０の他の場所にも適用できる。
【００３１】
また、上述した実施形態において、第３の天井板部材１０ｃの第２の部材６１は、側面に複数の鍔部６１ｂが設けられている例を説明したが、本考案はこれに限定されるものではない。例えば、鍔部６１ｂを設けずに構成するようにしても良い。
【００３２】
また、上述した実施形態においては、スピードナット押え４０を用いた例を説明したが、本考案はこれに限定されるものではない。
【産業上の利用可能性】
【００３３】
本考案は、給食センタや食堂等において、食器、調理器具及び備品等の消毒を行う消毒保管機のネジの落下による異物混入を防止する目的に利用できる。
【符号の説明】
【００３４】
１０  天井板
１０ａ  中央天板
１０ｂ  サイド天板
１０ｃ  前後天板
１０ｄ  吸い込み口ガイド
１１ａ  立起部
１１ｂ、１２ａ、６１ｂ  鍔部
１２ｂ、１４ａ、１５ａ、１６ａ  貫通穴
１３ａ  スリット
２０ａ  第１の取り付けネジ
２０ｂ  第２の取り付けネジ
２０ｃ  第３の取り付けネジ
２０ｄ  第４の取り付けネジ
６０、７０  第１の部材
６１、７１  第２の部材
６０ａ、７０ａ  第１の貫通穴
６１ａ、７１ａ  第２の貫通穴
３０  スピードナット
４０  スピードナット押え
４１  取り付け穴
１００  消毒保管機
１０１  処理室
１０２  ヒータ
１０３  ファン
１０４  モータ
Ｓ  吸い込み口
Ｔ  本体
【図１】
0003219088.tif 000003
【図２】
0003219088.tif 000004
【図３】
0003219088.tif 000005
【図４】
0003219088.tif 000006
【図５】
0003219088.tif 000007
【図６】
0003219088.tif 000008
【図７】
0003219088.tif 000009
【図８】
0003219088.tif 000010
【図９】
0003219088.tif 000011
【手続補正書】
【提出日】平成30年9月26日(2018.9.26)
【手続補正１】
【補正対象書類名】実用新案登録請求の範囲
【補正対象項目名】全文
【補正方法】変更
【補正の内容】
【実用新案登録請求の範囲】
【請求項１】
消毒すべき物品が収納される処理室内の天井に装着される少なくとも第１の天井板部材、第２の天井板部材及び第３の天井板部材を備えており、
前記第１の天井板部材を固定する第１の取り付けネジは、装着された前記第２の天井板部材に覆われて落下防止がなされるように構成されており、
前記第２の天井板部材を固定する第２の取り付けネジは、装着された前記第３の天井板部材に覆われて落下防止がなされるように構成されており、
前記第３の天井板部材を固定する第３の取り付けネジは、当該第３の天井板部材が具備する、前記第３の取り付けネジを挿通可能な第１の貫通穴と、前記第３の取り付けネジの頭部より小さい径を有し取り付けネジ用締め付け工具を通すための第２の貫通穴とを備えた第１のネジ受け構造によって落下防止がなされるように構成されていることを特徴とする消毒保管機。
【請求項２】
前記第１のネジ受け構造は、前記第１の貫通穴が設けられている第１の部材と、前記第２の貫通穴が設けられている第２の部材とから構成され、
前記第１の部材と前記第２の部材とは、前記第３の取り付けネジの頭部が前記第１の部材と前記第２の部材との間に位置し、ネジ部が前記第１の貫通穴に挿通した状態で、前記第１の貫通穴と前記第２の貫通穴とが同一の中心線上に位置するように一体に固着されていることを特徴とする請求項１に記載の消毒保管機。
【請求項３】
前記第１の部材は、長手方向に垂直の断面がクランク状となるように折り曲げられた互いに平行な２つの板状片を備えた板材であり、
前記第２の部材は、長手方向に垂直の断面が凹状となるように折り曲げられた板材であり、
前記第１の部材の前記２つの板状片の一方の板状片には前記第１の貫通穴が設けられ、他方の板状片は前記第２の部材の底面に固着されていることを特徴とする請求項２に記載の消毒保管機。
【請求項４】
前記取り付けネジの締め付け用のスピードナットと、前記スピードナットを押さえているスピードナット押えとをさらに備えていることを特徴とする請求項２又は３に記載の消毒保管機。
【請求項５】
前記第２の部材は、前記処理室内の前記天井板部材のパッキン押えを固定するネジを覆うように構成されていることを特徴とする請求項２から４のいずれか１項に記載の消毒保管機。
【請求項６】
前記第１の天井板部材は天井の中央部に配置され吸い込み口が設けられている中央天板であり、前記第２の天井板部材は前記中央天板の左右両側にそれぞれ配置される１対のサイド天板であり、前記１対のサイド天板は、装着された状態で、前記中央天板の左右両辺の前記第１の取り付けネジを覆うように構成されていることを特徴とする請求項１から５のいずれか１項に記載の消毒保管機。
【請求項７】
前記処理室内の天井に装着され、前記吸い込み口のガイドである第４の天井板部材をさらに備えており、前記第４の天井板部材を固定する第４の取り付けネジは、当該第４の天井板部材が具備する、前記第４の取り付けネジを挿通可能な第１の貫通穴と、前記第４の取り付けネジの頭部より小さい径を有し取り付けネジ用締め付け工具を通すための第２の貫通穴とを備えた第２のネジ受け構造によって落下防止がなされるように構成されていることを特徴とする請求項６に記載の消毒保管機。